(57)【要約】【課題】予備苗載せ台に対する円滑なマット状苗の載置作業が可能な乗用型田植機の提供。【解決手段】苗載せ台へ補給するマット状苗を載置可能な予備苗載せ台３１，３２が備えられている。予備苗載せ台３１，３２は、予備苗載せ台３１，３２に載置されたマット状苗を受け止め可能な作用状態と、予備苗載せ台３１，３２に格納されて予備苗載せ台３１，３２に載置されたマット状苗を受け止め不能な非作用状態と、に切換可能な苗止め部材４３，４４を有する。【選択図】図２
2020103081.tif 000002
【特許請求の範囲】
【請求項１】
苗載せ台へ補給するマット状苗を載置可能な予備苗載せ台が備えられ、
前記予備苗載せ台は、前記予備苗載せ台に載置された前記マット状苗を受け止め可能な作用状態と、前記予備苗載せ台に格納されて前記予備苗載せ台に載置された前記マット状苗を受け止め不能な非作用状態と、に切換可能な苗止め部材を有する乗用型田植機。
【請求項２】
前記予備苗載せ台に、前記苗止め部材を揺動可能に支持する揺動支持部が設けられ、
前記苗止め部材は、前記揺動支持部を軸芯に揺動することによって前記作用状態と前記非作用状態とに切換可能に構成されている請求項１に記載の乗用型田植機。
【請求項３】
前記苗止め部材は、前記予備苗載せ台の長手方向の端部に設けられている請求項１または２に記載の乗用型田植機。
【請求項４】
前記予備苗載せ台は、前記マット状苗を載置可能な底部と、前記底部の短手方向両側から上方に立ち上がるとともに前記マット状苗を前記短手方向両側で受け止め可能な一対の側壁部と、を有し、
前記苗止め部材は、前記予備苗載せ台の長手方向の端部のうち、前記側壁部に設けられている請求項１から３の何れか一項に記載の乗用型田植機。
【請求項５】
前記苗止め部材は、前記側壁部に格納されることによって前記非作用状態を現出可能に構成され、かつ、前記側壁部よりも前記予備苗載せ台の短手方向内側に突出することによって前記作用状態を現出可能に構成されている請求項４に記載の乗用型田植機。
【請求項６】
前記予備苗載せ台は、前記マット状苗を載置可能な底部と、前記底部の短手方向両側から上方に立ち上がるとともに前記マット状苗を前記短手方向両側で受け止め可能な一対の側壁部と、を有し、
前記苗止め部材は、前記予備苗載せ台の長手方向の端部のうち、前記底部に設けられている請求項１から３の何れか一項に記載の乗用型田植機。
【請求項７】
前記底部に前記底部よりも下側に凹入する凹部が形成され、
前記苗止め部材は、前記凹部に格納されることによって前記非作用状態を現出可能に構成され、かつ、前記底部よりも上側に突出することによって前記作用状態を現出可能に構成されている請求項６に記載の乗用型田植機。
【発明の詳細な説明】
【技術分野】
【０００１】
本発明は、乗用型田植機における予備苗載せ台の構成に関する。
【背景技術】
【０００２】
例えば特許文献１に開示された乗用田植機の予備苗収容構造に、苗載せ台へ補給するマット状苗を載置可能な予備苗載せ台（文献では「予備苗載置部」）が備えられ、予備苗載せ台に苗止め部材（文献では「ストッパ」）が設けられている。苗止め部材は、マット状苗の載置面よりも上側に位置する位置と、マット状苗の載置面よりも下側に位置する位置と、に亘って回動可能に構成されている。
【先行技術文献】
【特許文献】
【０００３】
【特許文献１】特開２０１１−６２１５９号公報
【発明の概要】
【発明が解決しようとする課題】
【０００４】
ところで特許文献１に開示された苗止め部材は、マット状苗の受け止めに使用されない状態で予備苗載せ台よりも下側に突出する。この状態で、予備苗載せ台が上下に並べられている場合、作業者が予備苗載せ台の前端部または後端部からマット状苗を挿入する際に、マット状苗が一段上の予備苗載せ台に設けられた苗止め部材に引っ掛かることも考えられる。このような不都合を回避するため、苗止め部材がマット状苗の受け止めに使用されない場合、苗止め部材は予備苗載せ台に格納された状態で位置保持されることが望ましい。
【０００５】
本発明の目的は、予備苗載せ台に対する円滑なマット状苗の載置作業が可能な乗用型田植機を提供することにある。
【課題を解決するための手段】
【０００６】
本発明の乗用型田植機は、苗載せ台へ補給するマット状苗を載置可能な予備苗載せ台が備えられ、前記予備苗載せ台は、前記予備苗載せ台に載置された前記マット状苗を受け止め可能な作用状態と、前記予備苗載せ台に格納されて前記予備苗載せ台に載置された前記マット状苗を受け止め不能な非作用状態と、に切換可能な苗止め部材を有することを特徴とする。
【０００７】
本発明によると、苗止め部材が非作用状態である場合、苗止め部材は予備苗載せ台に格納されため、非作用状態の苗止め部材が予備苗載せ台に格納されない構成と比較して、苗止め部材が非作用状態に位置保持され易くなる。また、非作用状態の苗止め部材が予備苗載せ台に格納される構成によって、例えば作業者が予備苗載せ台の前端部または後端部からマット状苗を挿入する場合、マット状苗が苗止め部材に引っ掛かる虞が軽減される。これにより、予備苗載せ台に対する円滑なマット状苗の載置作業が可能な乗用型田植機が実現される。
【０００８】
本発明において、前記予備苗載せ台に、前記苗止め部材を揺動可能に支持する揺動支持部が設けられ、前記苗止め部材は、前記揺動支持部を軸芯に揺動することによって前記作用状態と前記非作用状態とに切換可能に構成されていると好適である。
【０００９】
本構成であれば、予備苗載せ台に揺動支持部が備えられているため、作業者は苗止め部材を揺動操作するだけで作用状態と非作用状態とに切換えられる。また、予備苗載せ台は苗止め部材の支持構造としも兼用されるため、苗止め部材の専用の支持構造が設けられる構成と比較して支持構造が簡素化される。
【００１０】
本発明において、前記苗止め部材は、前記予備苗載せ台の長手方向の端部に設けられていると好適である。
【００１１】
本構成によって、予備苗載せ台におけるマット状苗の載置可能な面積が出来るだけ広く確保されるとともに、予備苗載せ台の長手方向の端部からマット状苗がずり落ちる虞が防止される。
【００１２】
本発明において、前記予備苗載せ台は、前記マット状苗を載置可能な底部と、前記底部の短手方向両側から上方に立ち上がるとともに前記マット状苗を前記短手方向両側で受け止め可能な一対の側壁部と、を有し、前記苗止め部材は、前記予備苗載せ台の長手方向の端部のうち、前記側壁部に設けられていると好適である。
【００１３】
本構成であれば、側壁部が苗止め部材の支持構造としも兼用されるため、苗止め部材に専用の支持構造が設けられる構成と比較して支持構造が簡素化される。
【００１４】
本発明において、前記苗止め部材は、前記側壁部に格納されることによって前記非作用状態を現出可能に構成され、かつ、前記側壁部よりも前記予備苗載せ台の短手方向内側に突出することによって前記作用状態を現出可能に構成されていると好適である。
【００１５】
本構成であれば、側壁部が苗止め部材の格納スペースとしも兼用されるため、作業者が予備苗載せ台の前端部または後端部からマット状苗を挿入する場合、マット状苗が苗止め部材に引っ掛かる虞が一層軽減される。
【００１６】
本発明において、前記予備苗載せ台は、前記マット状苗を載置可能な底部と、前記底部の短手方向両側から上方に立ち上がるとともに前記マット状苗を前記短手方向両側で受け止め可能な一対の側壁部と、を有し、前記苗止め部材は、前記予備苗載せ台の長手方向の端部のうち、前記底部に設けられていると好適である。
【００１７】
本構成によると、苗止め部材が底部に設けられるため、苗止め部材が予備苗載せ台のうちの底部以外の箇所に設けられる構成と比較して、苗止め部材はマット状苗を一層容易に受け止めやすくなる。
【００１８】
本発明において、前記底部に前記底部よりも下側に凹入する凹部が形成され、前記苗止め部材は、前記凹部に格納されることによって前記非作用状態を現出可能に構成され、かつ、前記底部よりも上側に突出することによって前記作用状態を現出可能に構成されていると好適である。
【００１９】
本構成によると、非作用状態の苗止め部材が凹部に格納されるため、作業者は予備苗載せ台の前端部または後端部から、苗止め部材に引っ掛かることなくマット状苗を挿入できる。また、作用状態の苗止め部材が底部よりも上側に突出するため、苗止め部材はマット状苗をしっかりと受け止め、予備苗載せ台からマット状苗がずり落ちる虞が一層防止される。
【図面の簡単な説明】
【００２０】
【図１】乗用型田植機の左側面図である。
【図２】乗用型田植機の前部の平面図である。
【図３】乗用型田植機の前部の正面図である。
【図４】第１状態の左の予備苗載せ台の付近の左側面図である。
【図５】第２状態の左の予備苗載せ台の付近の左側面図である。
【図６】第１状態の左の予備苗載せ台が中央位置、前側位置及び後側位置に位置変更された状態を示す左側面図である。
【図７】左の支持部材及び支持リンクの付近の分解斜視図である。
【図８】左の支持部材の付近の縦断正面図である。
【図９】左の支持部材の付近の左側面図である。
【図１０】苗止め部材を示す予備苗載せ台の平面図である。
【図１１】作用状態の苗止め部材を示す図１０のＸＩ−ＸＩ線断面図である。
【図１２】非作用状態の苗止め部材を示す図１０のＸＩＩ−ＸＩＩ線断面図である。
【図１３】苗止め部材の別構成を示す乗用型田植機の前部の平面図である。
【図１４】苗止め部材の別構成を示す予備苗載せ台の平面図である。
【図１５】苗止め部材を示す図１４のＸＶ−ＸＶ線断面図である。
【図１６】苗止め部材を示す図１４のＸＶＩ−ＸＶＩ線断面図である。
【図１７】図１３に示された苗止め部材の別実施形態を示す乗用型田植機の前部の平面図である。
【発明を実施するための形態】
【００２１】
図１〜図１１において、Ｆは前方向を示し、Ｂは後方向を示し、Ｕは上方向を示し、Ｄは下方向を示している。Ｒは右方向を示し、Ｌは左方向を示している。
【００２２】
〔乗用型田植機の全体構成〕
図１に示すように、乗用型田植機は、右及び左の前輪１、右及び左の後輪２を備えた機体３の後部に、リンク機構４が上下に揺動可能に支持されて後側に延出されており、リンク機構４を昇降操作する油圧シリンダ５が設けられている。
【００２３】
苗植付装置６がリンク機構４の後部に支持され、機体３の後部及び苗植付装置６に亘って、田面に肥料を供給する施肥装置７が設けられており、苗植付装置６の前側の下部に、田面を整地する整地装置８が支持されている。
【００２４】
図１，２，３に示すように、機体３の右部及び左部の上部に、複数の予備苗載せ台３１，３２が配置されている。
後述の〔予備苗載せ台を前後方向に位置変更可能に機体に支持する前後支持機構の構成〕、及び〔予備苗載せ台を第１状態及び第２状態に位置変更可能に前後支持機構に支持する支持機構の構成〕に記載のように、予備苗載せ台３１，３２は、前後支持機構３７及び支持機構４５を介して機体３に支持されている。
【００２５】
〔機体の構成〕
図１，２，３に示すように、機体３の前部に配置されたミッションケース２２に、支持フレーム２３が連結されて前側に延出され、支持フレーム２３にエンジン（図示せず）が支持されている。エンジンを覆うボンネット２４が機体３の前部に設けられている。
【００２６】
前輪１を操向操作する操縦ハンドル２５、走行用の変速レバー２６、及び油圧シリンダ５を作動操作する為の昇降レバー２７が、ボンネット２４の上部に設けられている。
正面視でアーチ状の操作アーム５３が、起立姿勢（図１，２，３参照）、起立姿勢から前側に倒れた前傾姿勢に操作可能に、支持フレーム２３に支持されており、操作アーム５３の上部に、センターマスコット５４が設けられている。
【００２７】
ボンネット２４の右側及び左側からボンネット２４の後側に亘って、フロア２８が設けられており、フロア２８の後部の上部に、運転座席２０が配置されている。フロア２８において、ボンネット２４と右の予備苗載せ台３１，３２との間、ボンネット２４と左の予備苗載せ台３１，３２との間が、右及び左の通路となっており、作業者は右又は左の通路を通って、機体３から畦に移動したり、畦から機体３に乗り込んだりする。
【００２８】
フロア２８におけるボンネット２４の右側の部分に、ブレーキペダル５５が設けられ、ブレーキペダル５５に連結されたブレーキレバー５６が設けられており、フロア２８にロックレバー５７が設けられている。
【００２９】
例えば畦を越えて水田に進入する場合や、畦を越えて水田から出る場合、作業者は、機体３から降りて機体３の前側に立ち、操作アーム５３を前傾姿勢に設定して、操作アーム５３を持つことにより、機体３の向きの修正を行ったり、機体３の前部の浮き上がりを押さえたりする。
【００３０】
作業者は、手を延ばして変速レバー２６を操作したり、ブレーキレバー５６を持ってブレーキペダル５５を操作したりする。踏み込み状態（制動状態）のブレーキペダル５５及びブレーキレバー５６に、ロックレバー５７を掛けることにより、ブレーキペダル５５及びブレーキレバー５６を、踏み込み状態（制動状態）で保持することができる。
【００３１】
図１に示すように、苗植付装置６に、植付伝動ケース９、回転ケース１０、植付アーム１１、フロート１２、苗載せ台１３等が設けられている。
【００３２】
２個の植付伝動ケース９の後部の右部及び左部に、回転ケース１０が回転可能に支持され、回転ケース１０の両端に、植付アーム１１が支持されている。苗載せ台１３が、左右方向に往復移動可能に支持されている。
【００３３】
苗載せ台１３にマット状苗が載置された状態で、苗載せ台１３が左右方向に往復横送り駆動されるのに伴って、回転ケース１０が回転駆動される。苗載せ台１３の下部から植付アーム１１が交互に苗を取り出して田面に植え付ける。予備苗載せ台３１，３２に補給用のマット状苗が載置される。換言すると、予備苗載せ台３１，３２は、苗載せ台１３へ補給するマット状苗を載置可能なように構成されている。
【００３４】
図１に示すように、苗植付装置６に支持された右及び左の支持ケース１４が、前側に延出されており、支持ケース１４の前部に亘って、駆動軸（図示せず）が回転可能に支持されており、多数の整地体２１が駆動軸に取り付けられている。
【００３５】
苗植付装置６の動力が、植付伝動ケース９から、支持ケース１４の伝動チェーン（図示せず）を介して、駆動軸に伝達され、駆動軸及び整地体２１が図１の反時計方向に回転駆動されて、整地体２１により田面の整地が行われる。
【００３６】
〔予備苗載せ台を前後方向に位置変更可能に機体に支持する前後支持機構の構成〕
図１〜図４に示すように、フレーム２９が、支持フレーム２３に連結されて、支持フレーム２３から右側及び左側に延出されており、フレーム２９の右端部及び左端部にブラケット３０が連結されている。
【００３７】
右及び左の支持フレーム３３の下部が、ブラケット３０の左右方向の軸芯Ｐ１周りに前後に揺動可能に支持され、右及び左の支持アーム３４の下部が、ブラケット３０の左右方向の軸芯Ｐ２周りに前後に揺動可能に支持されて、支持フレーム３３及び支持アーム３４が上側に延出されている。
【００３８】
図２及び図３に示すように、フロア２８の右前部及び左前部に凹部２８ａが形成されており、フロア２８におけるボンネット２４の付近の左右幅が、フロア２８における運転座席２０の付近の左右幅よりも小さなものとなっている。ブラケット３０、支持フレーム３３の下部及び支持アーム３４の下部が、平面視でフロア２８の凹部２８ａに入り込むように配置されている。
【００３９】
図３，７，８，９に示すように、アングル形状に折り曲げられた支持部材３５が、支持フレーム３３の上端部に連結されて、支点軸３３ａが、支持フレーム３３の上端部に外向きに連結されている。
【００４０】
図４，７，８に示すように、板材が箱状に折り曲げられて形成された支持部材３６が、左右方向の軸芯Ｐ３周りに揺動可能に、支持フレーム３３の支点軸３３ａに支持されている。支持部材３６から前側に延出されたアーム部３６ａに、支持アーム３４の上端部が、左右方向の軸芯Ｐ４周りに揺動可能に接続されている。
【００４１】
図１，４，６に示すように、支持フレーム３３、支持アーム３４及び支持部材３６が、側面視で平行四連リンクに構成されている。支持フレーム３３及び支持アーム３４を前後に揺動させることにより、支持部材３６が、上下方向に沿った姿勢を維持しながら、支持フレーム３３が上下方向に沿った中央位置Ｂ１、支持フレーム３３が前側に傾斜した前側位置Ｂ２、支持フレーム３３が後側に傾斜した後側位置Ｂ３に、前後方向に位置変更される。
【００４２】
図３に示すように、丸棒状の弾性材が折り曲げられた右及び左のトーションバネ４６が設けられている。トーションバネ４６が軸芯Ｐ１に沿って配置されて、トーションバネ４６の一方の端部が支持フレーム２３に連結され、トーションバネ４６の他方の端部が支持フレーム３３に接続されている。トーションバネ４６により、支持フレーム３３が前側位置Ｂ２及び後側位置Ｂ３から中央位置Ｂ１に付勢されている。
【００４３】
以上のように、支持フレーム３３、支持アーム３４及び支持部材３６等を備えた前後支持機構３７が設けられている。後述の〔予備苗載せ台を第１状態及び第２状態に位置変更可能に前後支持機構に支持する支持機構の構成〕に記載のように、予備苗載せ台３１，３２が、支持機構４５を介して支持部材３６に支持されている。
【００４４】
これにより、予備苗載せ台３１，３２及び支持機構４５が、前後支持機構３７（支持部材３６）により、中央位置Ｂ１、前側位置Ｂ２及び後側位置Ｂ３に、前後方向に位置変更可能に支持されている。
【００４５】
〔前後支持機構において支持部材を中央位置、前側位置及び後側位置に操作及び保持する為の構成〕
図２，３，４，７に示すように、丸棒材が折り曲げられて形成された前後操作具３８が設けられている。前後操作具３８が、支持部材３６の前後方向の軸芯Ｐ５周りに回転可能に支持されて、支持部材３６から前側及び後側に延出されている。
【００４６】
前後操作具３８の前端部が下向きに折り曲げられて、前後操作具３８の前端部に持ち手部３８ａが設けられており、前後操作具３８の後端部が下向きに折り曲げられて、前後操作具３８の後端部に持ち手部３８ｂが設けられている。図７及び図８に示すように、支持部材３６の内部において、前後操作具３８に、丸棒状の係合部３８ｃが連結されている。
【００４７】
図７，８，９に示すように、側面視で円弧状のガイド孔３９が、支持部材３５に開口されている。ガイド孔３９に、下向きに開口された中央保持部３９ａ、前側保持部３９ｂ及び後側保持部３９ｃが設けられ、中央保持部３９ａの上側から下向きに突出する牽制部３９ｄが設けられている。
【００４８】
前後操作具３８の係合部３８ｃが、ガイド孔３９に挿入されている。支持部材３６の内部において、前後操作具３８に受け板３８ｄが連結されて、前後操作具３８の受け板３８ｄと支持部材３６の内面との間に、バネ４０が取り付けられている。バネ４０により前後操作具３８が図８の反時計方向に付勢されており、前後操作具３８の係合部３８ｃが、ガイド孔３９の中央保持部３９ａ、前側保持部３９ｂ及び後側保持部３９ｃに入る側に付勢されている。
【００４９】
〔前後操作具による支持部材の中央位置、前側位置及び後側位置への操作〕
図４及び図９に示す状態は、予備苗載せ台３１，３２及び支持機構４５（支持部材３６）が、中央位置Ｂ１（図６参照）に操作された状態である。
【００５０】
図４及び図９に示す状態において、前後操作具３８の係合部３８ｃがガイド孔３９の中央保持部３９ａに入り込んで、前後操作具３８（持ち手部３８ａ，３８ｂ）が保持位置Ｃ１（図８参照）に位置しており、保持位置Ｃ１において前後操作具３８の持ち手部３８ａ，３８ｂは、下向きとなっている。
【００５１】
これにより、予備苗載せ台３１，３２及び支持機構４５（支持部材３６）が、前後操作具３８の係合部３８ｃ及びガイド孔３９の中央保持部３９ａによって、中央位置Ｂ１に保持されている。
【００５２】
機体３の前側の畦や水田内に立つ作業者は、前後操作具３８の持ち手部３８ａを持つことができるのであり、運転座席２０の作業者は前後操作具３８の持ち手部３８ｂを持つことができる。
【００５３】
図８及び図９に示すように、作業者が、前後操作具３８の持ち手部３８ａ，３８ｂを持ち、前後操作具３８を軸芯Ｐ５周りに解除位置Ｃ２に操作すると、前後操作具３８の係合部３８ｃが、ガイド孔３９の中央保持部３９ａから上側に抜ける。
【００５４】
作業者は、前後操作具３８の持ち手部３８ａ，３８ｂを解除位置Ｃ２に維持しながら、前後操作具３８を前後に押し引き操作することにより、予備苗載せ台３１，３２及び支持機構４５（支持部材３６）を、図６に示すように、中央位置Ｂ１から前側位置Ｂ２又は後側位置Ｂ３に、人為的に前後方向に位置変更することができる。
【００５５】
図６及び図９に示すように、予備苗載せ台３１，３２及び支持機構４５（支持部材３６）が、前側位置Ｂ２（後側位置Ｂ３）に位置変更されると、上下方向に沿った姿勢に維持された支持部材３６に対して、支持部材３５が軸芯Ｐ３周りに揺動する状態となるのであり、前後操作具３８の係合部３８ｃに対してガイド孔３９が軸芯Ｐ３周りに揺動する。
【００５６】
前側位置Ｂ２において前後操作具３８の係合部３８ｃが、ガイド孔３９の前側保持部３９ｂの上側に位置し、後側位置Ｂ３において前後操作具３８の係合部３８ｃが、ガイド孔３９の後側保持部３９ｃの上側に位置する。
【００５７】
作業者は、予備苗載せ台３１，３２及び支持機構４５（支持部材３６）を前側位置Ｂ２（後側位置Ｂ３）に位置変更した後、前後操作具３８を保持位置Ｃ１に操作し、前後操作具３８の係合部３８ｃを、ガイド孔３９の前側保持部３９ｂ（後側保持部３９ｃ）に入り込ませる。
【００５８】
これにより、予備苗載せ台３１，３２及び支持機構４５（支持部材３６）が、前後操作具３８の係合部３８ｃ及びガイド孔３９の前側保持部３９ｂ（後側保持部３９ｃ）によって、図６に示す前側位置Ｂ２（後側位置Ｂ３）に保持される。
【００５９】
作業者が、予備苗載せ台３１，３２及び支持機構４５（支持部材３６）を、前側位置Ｂ２から中央位置Ｂ１又は後側位置Ｂ３、後側位置Ｂ３から中央位置Ｂ１又は前側位置Ｂ２に位置変更する場合、作業者は、前後操作具３８の持ち手部３８ａ，３８ｂを持ち、前後操作具３８を解除位置Ｃ２に操作して、前述と同様な操作を行えばよい。
【００６０】
作業者が、予備苗載せ台３１，３２及び支持機構４５（支持部材３６）を、前側位置Ｂ２から後側位置Ｂ３（後側位置Ｂ３から前側位置Ｂ２）に位置変更する場合、途中の中央位置Ｂ１において、前後操作具３８の係合部３８ｃにガイド孔３９の牽制部３９ｄが当たり、前後操作具３８の係合部３８ｃがガイド孔３９の中央保持部３９ａに案内されて、前後操作具３８が保持位置Ｃ１に操作される。
【００６１】
これにより、予備苗載せ台３１，３２及び支持機構４５（支持部材３６）が、途中の中央位置Ｂ１に保持されるのであり、作業者は、前後操作具３８を再び解除位置Ｃ２に操作して、予備苗載せ台３１，３２及び支持機構４５（支持部材３６）を、中央位置Ｂ１から後側位置Ｂ３（前側位置Ｂ２）に位置変更する。
【００６２】
〔予備苗載せ台を第１状態及び第２状態に位置変更可能に前後支持機構に支持する支持機構の構成〕
図４及び図７に示すように、支持部材３６に、アーム部３６ｂが連結されて後側に延出されており、支点軸３６ｃが、アーム部３６ｂの端部に外向きに連結されている。
【００６３】
丸パイプ状の支持リンク４１，４２が設けられている。支持リンク４１の長手方向の中央部が、左右方向の軸芯Ｐ６周りに揺動可能に、支持部材３６の支点軸３６ｃに支持されている。支持リンク４２の長手方向の中央部が、左右方向の軸芯Ｐ３周りに揺動可能に、支持フレーム３３の支点軸３３ａに支持されている。
【００６４】
図２，３，４，８に示すように、角パイプ状の苗載せ台フレーム５１，５２が設けられている。支持リンク４１の一方の端部が、左右方向の軸芯Ｐ７周りに揺動可能に、苗載せ台フレーム５１の前後中間部に接続され、支持リンク４２の一方の端部が、左右方向の軸芯Ｐ８周りに揺動可能に、苗載せ台フレーム５１の前部に接続されている。
【００６５】
支持リンク４１の他方の端部が、左右方向の軸芯Ｐ９周りに揺動可能に、苗載せ台フレーム５２の後部に接続され、支持リンク４２の他方の端部が、左右方向の軸芯Ｐ１０周りに揺動可能に、苗載せ台フレーム５２の後部に接続されている。
【００６６】
図１，２，３に示すように、予備苗載せ台３１，３２は合成樹脂により一体的に形成されており、アーチ状の苗止め部材４３，４４が、予備苗載せ台３１，３２の前部及び後部に設けられている。詳細は後述するが、アーチ状の苗止め部材４３，４４の夫々は作用状態と非作用状態とに切換え可能に構成されている。
【００６７】
図３及び図４に示すように、苗載せ台フレーム５１，５２の前部及び後部に、ブラケット５１ａ，５２ａが設けられており、ブラケット５１ａ，５２ａの前後方向の軸芯Ｐ１１，Ｐ１２周りに、予備苗載せ台３１，３２が、横向きの使用姿勢（図１，２，３参照）、及び起立した格納姿勢に姿勢変更可能に支持されている。
【００６８】
丸棒状の弾性材が折り曲げられた押さえ部材４７が、苗載せ台フレーム５１のブラケット５１ａに設けられている。押さえ部材４７は、起立した解除姿勢（図３及び図４参照）及び使用姿勢の予備苗載せ台３１に押圧される押さえ姿勢に、トグル機能によって操作可能である。
【００６９】
作業者は、空の苗箱（図示せず）や苗すくい板（図示せず）を、使用姿勢の予備苗載せ台３１に置いた場合、押さえ部材４７を押さえ姿勢に操作して、押さえ部材４７により、空の苗箱や苗すくい板が風で飛ばされないように押さえておく。
【００７０】
以上のように、支持リンク４１，４２、及び苗載せ台フレーム５１，５２等を備えた支持機構４５が設けられており、後述の〔操作具による予備苗載せ台及び支持機構の第１状態及び第２状態への操作〕に記載のように、予備苗載せ台３１，３２が、上下方向に所定の間隔を置いて配置された第１状態Ａ１（図４参照）、及び、前後方向に一列状に配置された第２状態Ａ２（図５参照）に位置変更可能に、支持機構４５により支持部材３６に支持されている。
【００７１】
〔支持機構において予備苗載せ台を第１状態及び第２状態に操作及び保持する為の構成〕
図２，４，５に示すように、右及び左の苗載せ台フレーム５１の後部に、右及び左の操作具４８が連結されて後側に延出されている。これにより、操作具４８が、予備苗載せ台３１の機体左右中央側の横側部に、前後方向に沿って設けられている。
【００７２】
右及び左の苗載せ台フレーム５１の後部に連結されたブラケット５１ｂに、右及び左の保持具４９が、左右方向の軸芯Ｐ１３周りに上下に揺動自在に支持されて、操作具４８の下側に配置されるように後側に延出されている。これにより、保持具４９が、予備苗載せ台３１の機体左右中央側の横側部に、前後方向に沿って設けられている。
【００７３】
保持具４９は、操作具４８から下側に離れた保持位置Ｄ１、及び保持位置Ｄ１よりも上側で操作具４８に近い解除位置Ｄ２に、上下方向に操作可能である。凹部状の第１係合部４９ａ及び第２係合部４９ｂが、保持具４９の基部に設けられている。苗載せ台フレーム５１のブラケット５１ｂに、バネ５０が取り付けられており、バネ５０により保持具４９が保持位置Ｄ１に付勢されている。
【００７４】
図４，５，７に示すように、右及び左の支持リンク４１において、苗載せ台フレーム５１に揺動可能に接続される部分（軸芯Ｐ７）を挟んだ一方側及び他方側の部分に、ピン状の第１係止部４１ａ及び第２係止部４１ｂが設けられている。支持部材３６のアーム部３６ｂに、ピン状のストッパー部３６ｄが設けられている。
【００７５】
〔操作具による予備苗載せ台及び支持機構の第１状態及び第２状態への操作〕
図１〜図４に示す状態は、複数の予備苗載せ台３１，３２が上下方向に所定の間隔を置いて配置された第１状態Ａ１に操作された状態である。
【００７６】
図４に示す状態は、支持リンク４１が、支持部材３６のストッパー部３６ｄに上側から当たり、保持具４９が保持位置Ｄ１に操作され、保持具４９の第１係合部４９ａが、支持リンク４１の第１係止部４１ａに係合して（保持具４９の第１係合部４９ａに、支持リンク４１の第１係止部４１ａが入り込んで）、予備苗載せ台３１，３２が第１状態Ａ１に保持された保持状態である。
【００７７】
予備苗載せ台３１，３２が第１状態Ａ１に保持された保持状態において、作業者が手で操作具４８を握るようにして持つと、手で保持具４９も一緒に握るようにして持つことができ、保持具４９を保持位置Ｄ１から解除位置Ｄ２に操作することができ、保持具４９の第１係合部４９ａが、支持リンク４１の第１係止部４１ａから外れる。
【００７８】
図４から図５に示すように、作業者が、操作具４８及び解除位置Ｄ２の保持具４９を、持ちながら運転座席２０側（後側）に引き操作すると、支持リンク４１，４２が軸芯Ｐ３，Ｐ６周りに図４及び図５の時計方向に揺動して、上側の予備苗載せ台３１が運転座席２０側（後側）に位置変更され、下側の予備苗載せ台３２が前側に位置変更される。
【００７９】
図５に示すように、支持リンク４２が、支持部材３６のストッパー部３６ｄに上側から当たることにより、支持リンク４１，４２の揺動が止められるのであり、この状態において、支持リンク４１の第２係止部４１ｂが、保持具４９の第２係合部４９ｂに対向する。
【００８０】
図５に示す状態が、複数の予備苗載せ台３１，３２が前後方向に一列状に配置された第２状態Ａ２である。第２状態Ａ２で、第１状態Ａ１での上側の予備苗載せ台３１が運転座席２０側（後側）となり、第１状態Ａ１での下側の予備苗載せ台３２が前側となり、予備苗載せ台３１の前端部３１ａと予備苗載せ台３２の後端部３２ｂとが接する。
【００８１】
図５に示す状態において、作業者が保持具４９を離すと、バネ５０により保持具４９が解除位置Ｄ２から保持位置Ｄ１に揺動し、保持具４９の第２係合部４９ｂが、支持リンク４１の第２係止部４１ｂに係合して（保持具４９の第２係合部４９ｂに、支持リンク４１の第２係止部４１ｂが入り込んで）、予備苗載せ台３１，３２が第２状態Ａ２に保持された保持状態となる。
【００８２】
図５に示す第２状態Ａ２において、作業者が、前述のように保持具４９を保持位置Ｄ１から解除位置Ｄ２に操作し、操作具４８及び解除位置Ｄ２の保持具４９を、持ちながら前側に押し操作することより、予備苗載せ台３１，３２を第２状態Ａ２から、図４に示す第１状態Ａ１に位置変更することができる。
【００８３】
前述の〔前後操作具による支持部材の中央位置、前側位置及び後側位置への操作〕に記載のように、作業者が前後操作具３８を操作することにより、予備苗載せ台３１，３２を第１状態Ａ１（第２状態Ａ２）の保持状態に維持しながら、予備苗載せ台３１，３２及び支持機構４５（支持部材３６）を、中央位置Ｂ１、前側位置Ｂ２及び後側位置Ｂ３に位置変更することができる。
【００８４】
〔苗止め部材の構成について〕
図２に示されるように、予備苗載せ台３１，３２の夫々は、機体前後方向視においてＵ字状に形成され、底部３１ｃ，３２ｃと、側壁部３１ｄ，３２ｄと、を有する。底部３１ｃ，３２ｃの夫々はマット状苗を載置可能なように構成されている。底部３１ｃにおける前端部３１ａ及び後端部３１ｂの夫々に切欠部３１ｉが形成され、底部３２ｃにおける前端部３２ａ及び後端部３２ｂの夫々に切欠部３２ｉが形成されている。底部３１ｃの左右横側部から一対の側壁部３１ｄ，３１ｄが上方へ立設し、底部３２ｃの左右横側部から一対の側壁部３２ｄ，３２ｄが上方へ立設する。このため、予備苗載せ台３１に載置されたマット状苗は、機体左右両側の側壁部３１ｄ，３１ｄによって機体横方向に位置ずれしないように受け止められ、予備苗載せ台３２に載置されたマット状苗は、機体左右両側の側壁部３２ｄ，３２ｄによって機体横方向に位置ずれしないように受け止められる。換言すると、一対の側壁部３１ｄ，３１ｄは、底部３１ｃの短手方向両側から上方に立ち上がるとともにマット状苗を短手方向両側で受け止め可能なように構成されている。また、一対の側壁部３２ｄ，３２ｄは、底部３２ｃの短手方向両側から上方に立ち上がるとともにマット状苗を短手方向両側で受け止め可能なように構成されている。このことから、予備苗載せ台３１，３２が第２状態Ａ２に保持された状態で、予備苗載せ台３１，３２に載置されたマット状苗は予備苗載せ台３１，３２に亘って機体前後方向に沿ってスライド可能に構成されている。
【００８５】
予備苗載せ台３１，３２が第２状態Ａ２に保持された状態で、マット状苗が予備苗載せ台３１，３２からずり落ちることを防止するため、予備苗載せ台３２の前端に位置する苗止め部材４４と、予備苗載せ台３１の後端に位置する苗止め部材４３と、が用いられる。図２、図１０乃至図１２に示されるように、苗止め部材４３，４３は予備苗載せ台３１の前端部３１ａ及び後端部３１ｂの夫々に設けられ、苗止め部材４４，４４は予備苗載せ台３２の前端部３２ａ及び後端部３２ｂの夫々に設けられている。苗止め部材４３は予備苗載せ台３１の長手方向の端部に設けられ、苗止め部材４４は予備苗載せ台３２の長手方向の端部に設けられている。
【００８６】
図１０乃至図１２に示されるように、苗止め部材４３及び苗止め部材４４の夫々はアーチ状に形成されている。機体外側の側壁部３１ｄの前端と後端との夫々に上下向き軸芯の軸芯孔３１ｅ，３１ｅが形成され、機体外側の側壁部３２ｄの前端と後端との夫々に上下向き軸芯の軸芯孔３２ｅ，３２ｅが形成されている。苗止め部材４３は予備苗載せ台３１の長手方向の端部のうち、側壁部３１ｄに設けられている。また、苗止め部材４４は予備苗載せ台３２の長手方向の端部のうち、側壁部３２ｄに設けられている。
【００８７】
苗止め部材４３，４３の夫々は、前後の軸芯孔３１ｅ，３１ｅの夫々に挿入され、苗止め部材４３の基端側が軸芯孔３１ｅを軸芯に揺動可能に構成されている。このことから、苗止め部材４３，４３の夫々における揺動基端部４３ｂは、本発明において苗止め部材４３を揺動可能に支持する揺動支持部に相当する。また、揺動基端部４３ｂの下端部に一対の係止部４３ｃ，４３ｃが形成され、係止部４３ｃ，４３ｃは、軸芯孔３１ｅに挿入された状態の揺動基端部４３ｂが軸芯孔３１ｅから抜けないように、揺動基端部４３ｂの表面よりも外側に膨出する。
【００８８】
また、苗止め部材４４，４４の夫々は、前後の軸芯孔３２ｅ，３２ｅの夫々に挿入され、苗止め部材４４の基端側が軸芯孔３２ｅを軸芯に揺動可能に構成されている。このことから、苗止め部材４４，４４の夫々における揺動基端部４４ｂは、本発明において苗止め部材４４を揺動可能に支持する揺動支持部に相当する。また、揺動基端部４４ｂの下端部に一対の係止部４４ｃ，４４ｃが形成され、係止部４４ｃ，４４ｃは、軸芯孔３２ｅに挿入された状態の揺動基端部４４ｂが軸芯孔３２ｅから抜けないように、揺動基端部４４ｂの表面よりも外側に膨出する。
【００８９】
前後の軸芯孔３１ｅ，３１ｅの間に、二つの格納凹入部３１ｆ，３１ｆが形成され、格納凹入部３１ｆの下端に格納孔３１ｇが格納凹入部３１ｆと連続的に形成されている。また、前後の軸芯孔３２ｅ，３２ｅの間に、二つの格納凹入部３２ｆ，３２ｆが形成され、格納凹入部３２ｆの下端に格納孔３２ｇが格納凹入部３２ｆと連続的に形成されている。
【００９０】
苗止め部材４３，４４の夫々は作用状態と非作用状態とに切換可能に構成されている。『作用状態』は、予備苗載せ台３１，３２に載置されたマット状苗を受け止め可能な状態を意味する。『非作用状態』は、苗止め部材４３，４４の夫々が予備苗載せ台３１，３２に格納されて予備苗載せ台３１，３２に載置されたマット状苗を受け止め不能な状態を意味する。
【００９１】
苗止め部材４３が非作用状態である場合、苗止め部材４３の遊端部が格納凹入部３１ｆに格納される。苗止め部材４３が作用状態である場合、苗止め部材４３の遊端部が底部３１ｃの上に位置する。前側の格納凹入部３１ｆは前側の苗止め部材４３の遊端部を挿入可能に構成され、後側の格納凹入部３１ｆは後側の苗止め部材４３の遊端部を挿入可能に構成されている。
【００９２】
苗止め部材４４が非作用状態である場合、苗止め部材４４の遊端部が格納凹入部３２ｆに格納される。苗止め部材４４が作用状態である場合、苗止め部材４４の遊端部が底部３２ｃの上に位置する。前側の格納凹入部３２ｆは前側の苗止め部材４４の遊端部を挿入可能に構成され、後側の格納凹入部３２ｆは後側の苗止め部材４４の遊端部を挿入可能に構成されている。
【００９３】
苗止め部材４３の遊端部における下端部に、上下向きかつ円柱状の係止部４３ａが形成されている。非作用状態における苗止め部材４３は、係止部４３ａが格納孔３１ｇに挿入されることによって、非作用状態に位置保持される。このように、苗止め部材４３は、揺動支持部としての揺動基端部４３ｂを軸芯に揺動することによって作用状態と非作用状態とに切換可能に構成されている。
【００９４】
また、苗止め部材４４の遊端部における下端部に、上下向きかつ円柱状の係止部４４ａが形成されている。非作用状態における苗止め部材４４は、係止部４４ａが格納孔３２ｇに挿入されることによって、非作用状態に位置保持される。このように、苗止め部材４４は、揺動支持部としての揺動基端部４４ｂを軸芯に揺動することによって作用状態と非作用状態とに切換可能に構成されている。
【００９５】
前端部３１ａ及び後端部３１ｂの夫々における底部３１ｃに、上下軸芯の使用係止孔３１ｈ，３１ｈが形成され、前端部３２ａ及び後端部３２ｂの夫々における底部３２ｃに、上下軸芯の使用係止孔３２ｈ，３２ｈが形成されている。前端部３１ａにおける使用係止孔３１ｈは前側の苗止め部材４３の係止部４３ａを挿入可能に構成され、後端部３１ｂにおける使用係止孔３１ｈは後側の苗止め部材４３の係止部４３ａを挿入可能に構成されている。作用状態における苗止め部材４３は、係止部４３ａが使用係止孔３１ｈに挿入されることによって、作用状態に位置保持される。また、前端部３２ａにおける使用係止孔３２ｈは前側の苗止め部材４４の係止部４４ａを挿入可能に構成され、後端部３２ｂにおける使用係止孔３２ｈは後側の苗止め部材４４の係止部４４ａを挿入可能に構成されている。作用状態における苗止め部材４４は、係止部４４ａが使用係止孔３２ｈに挿入されることによって、作用状態に位置保持される。
【００９６】
苗止め部材４３における作用状態と非作用状態との切換は、係止部４３ａの格納孔３１ｇまたは使用係止孔３１ｈに対する係止状態を解除して、軸芯孔３１ｅを軸芯に苗止め部材４３を揺動することによって可能なように構成されている。係止部４３ａの格納孔３１ｇまたは使用係止孔３１ｈに対する係止状態の解除は、苗止め部材４３を全体的に上に持ち上げることによって可能なように構成されている。このとき、係止部４３ｃと軸芯孔３１ｅとが当接することによって、揺動基端部４３ｂが軸芯孔３１ｅから抜けることが防止される。そして、作業者が苗止め部材４３を全体的に上に持ち上げた状態で、軸芯孔３１ｅを軸芯に苗止め部材４３を揺動することによって係止部４３ａを揺動可能なように、苗止め部材４３は構成されている。
【００９７】
このように、苗止め部材４３は、側壁部３１ｄに格納されることによって非作用状態を現出可能に構成され、かつ、側壁部３１ｄよりも予備苗載せ台３１の短手方向内側に突出することによって作用状態を現出可能に構成されている。
【００９８】
苗止め部材４４に関しても、苗止め部材４３に基づいて説明した通り、作業者が苗止め部材４４を全体的に上に持ち上げた状態で、軸芯孔３２ｅを軸芯に苗止め部材４４を揺動することによって係止部４４ａを揺動可能なように、苗止め部材４４は構成されている。これにより、苗止め部材４４は、側壁部３２ｄに格納されることによって非作用状態を現出可能に構成され、かつ、側壁部３２ｄよりも予備苗載せ台３２の短手方向内側に突出することによって作用状態を現出可能に構成されている。
【００９９】
予備苗載せ台３１，３２が第２状態Ａ２に保持され、かつ、予備苗載せ台３１，３２にマット状苗が載置された場合、マット状苗が予備苗載せ台３１，３２からずり落ちることを防止する必要があると考えられる。このような場合、予備苗載せ台３２の前端側における苗止め部材４４の係止部４４ａを、底部３２ｃの前端における使用係止孔３２ｈに挿入することによって、マット状苗が予備苗載せ台３２よりも機体前側にずり落ちることが防止される。また、予備苗載せ台３１の後端側における苗止め部材４３の係止部４３ａを、底部３１ｃの後端における使用係止孔３１ｈに挿入することによって、マット状苗が予備苗載せ台３１よりも機体後側にずり落ちることが防止される。これにより、マット状苗が、二つの予備苗載せ台３１，３２に亘ってスライド可能な状態となり、かつ、二つの予備苗載せ台３１，３２よりも前後何れかへずり落ちる虞が防止される。
【０１００】
予備苗載せ台３１，３２が第１状態Ａ１に保持され、かつ、予備苗載せ台３１と予備苗載せ台３２との一方または両方にマット状苗が載置された場合、マット状苗が予備苗載せ台３１または予備苗載せ台３２からずり落ちることを防止する必要があると考えられる。予備苗載せ台３１における前後両方の苗止め部材４３，４３の係止部４３ａ，４３ａの夫々を、底部３１ｃの前後両端における使用係止孔３１ｈ，３１ｈに挿入することによって、マット状苗が予備苗載せ台３１から前後何れかへずり落ちることが防止される。また、予備苗載せ台３２における前後両方の苗止め部材４４，４４の係止部４４ａ，４４ａの夫々を、底部３２ｃの前後両端における使用係止孔３２ｈに挿入することによって、マット状苗が予備苗載せ台３２から前後何れかへずり落ちることが防止される。
【０１０１】
〔苗止め部材の別構成について〕
図２に示された予備苗載せ台３１における苗止め部材４３，４３の構成と、予備苗載せ台３２における苗止め部材４４，４４の構成と、の夫々は図２に示された実施形態に限定されず、図１３に示されるような構成も可能である。
【０１０２】
図１３に示される実施形態では、苗止め部材６１と，苗止め部材６２とが備えられている。苗止め部材６１は予備苗載せ台３１の長手方向の端部に設けられ、苗止め部材６２は予備苗載せ台３２の長手方向の端部に設けられている。
【０１０３】
図１３乃至図１６に示されるように、予備苗載せ台３１の前端部３１ａ及び後端部３１ｂの夫々における底部３１ｃの短手方向中央に凹部７１，７１が形成され、予備苗載せ台３２の前端部３２ａ及び後端部３２ｂの夫々における底部３２ｃの短手方向中央に凹部７２，７２が形成されている。凹部７１，７２の夫々は底部３１ｃ，３２ｃよりも下側に凹入する。凹部７１は、例えば樹脂の射出成形によって予備苗載せ台３１と一体的に樹脂成形されている。凹部７２も凹部７１と同様に、予備苗載せ台３２と一体成形されている。凹部７１，７２の形状に対応する苗止め部材６１，６２の夫々が凹部７１，７２に入り込んで倒伏可能なように、苗止め部材６１，６２の夫々は構成されている。このように、苗止め部材６１は、予備苗載せ台３１の長手方向の端部のうち、底部３１ｃに設けられている。また、苗止め部材６２は、予備苗載せ台３２の長手方向の端部のうち、底部３２ｃに設けられている。
【０１０４】
苗止め部材６１は、作用状態として遊端部が底部３１ｃよりも上側に起立する起立状態と、非作用状態として遊端部が底部３１ｃよりも下側の凹部７１に位置する倒伏状態と、に切換可能に構成されている。また、苗止め部材６２は、苗止め部材６１の場合と同様に、作用状態として遊端部が底部３２ｃよりも上側に起立する起立状態と、非作用状態として遊端部が底部３２ｃよりも下側の凹部７２に位置する倒伏状態と、に切換可能に構成されている。倒伏状態における苗止め部材６１，６２の夫々は、予備苗載せ台３１，３２における前後中央側に倒伏するように構成されている。
【０１０５】
以下、『起立状態』は本発明の作用状態を意味し、『倒伏状態』は本発明の非作用状態を意味する。
【０１０６】
予備苗載せ台３１における苗止め部材６１，６１の夫々は、互いに平行な水平軸芯Ｑ１１，Ｑ１２の夫々を軸芯に上下揺動可能に構成されている。また、予備苗載せ台３２における苗止め部材６２，６２の夫々は、互いに平行な水平軸芯Ｑ１３，Ｑ１４の夫々を軸芯に上下揺動可能に構成されている。図１４乃至図１６に示された水平軸芯Ｑ１１〜Ｑ１４は、前端部３１ａに位置する苗止め部材６１に対しては水平軸芯Ｑ１１であり、後端部３１ｂに位置する苗止め部材６１に対しては水平軸芯Ｑ１２であり、前端部３２ａに位置する苗止め部材６２に対しては水平軸芯Ｑ１３であり、後端部３２ｂに位置する苗止め部材６２に対しては水平軸芯Ｑ１４である。
【０１０７】
苗止め部材６１は、左右一対の基端部６１ａ，６１ａと、一対の起立部６１ｂ，６１ｂと、横架部６１ｃと、を有する。左右一対の基端部６１ａ，６１ａは水平軸芯Ｑ１１または水平軸芯Ｑ１２に沿って両側に延びる。一対の起立部６１ｂ，６１ｂは、一対の基端部６１ａ，６１ａから垂直または略垂直に屈曲する。横架部６１ｃは、一対の起立部６１ｂ，６１ｂに亘って横架する。苗止め部材６１は、基端部６１ａを軸芯に揺動することによって作用状態と非作用状態とに切換可能に構成されている。
【０１０８】
苗止め部材６１は、一対の起立部６１ｂ，６１ｂと横架部６１ｃとによってアーチ状に形成され、横架部６１ｃが苗止め部材６１の遊端側である。凹部７１に、水平軸芯Ｑ１１（または水平軸芯Ｑ１２）を軸芯に基端部６１ａ，６１ａを揺動支持可能な一対の揺動支持孔７１ａ，７１ａが形成され、左右一対の基端部６１ａ，６１ａが左右一対の揺動支持孔７１ａ，７１ａに対して挿通されている。
【０１０９】
凹部７１に、溝部７１ｂと開口部７１ｃとが形成されている。溝部７１ｂは、倒伏状態における苗止め部材６１の横架部６１ｃよりも予備苗載せ台３１の前後中央側に形成されている。作業者は、溝部７１ｂに手を入れて横架部６１ｃを掴むことによって、苗止め部材６１を起立状態に引き起こすことができる。開口部７１ｃは凹部７１に水が溜まらないようにする水抜き用の孔である。
【０１１０】
凹部７１のうち、揺動支持孔７１ａよりも上側に、起立状態の起立部６１ｂを挟む状態で一対の突起部７１ｄ，７１ｄが形成されている。夫々の突起部７１ｄは、左右一対の揺動支持孔７１ａ，７１ａの夫々の上方において予備苗載せ台３１の左右中央側に二つずつ突起する。夫々の突起部７１ｄは、水平軸芯Ｑ１１（または水平軸芯Ｑ１２）の方向視において、起立状態の起立部６１ｂを起立部６１ｂの短手方向で挟むように形成されている。
【０１１１】
苗止め部材６１が倒伏状態から起立状態に揺動する場合、左右一方の起立部６１ｂと、この起立部６１ｂに対向する突起部７１ｄ，７１ｄと、が当接する。また、左右他方の起立部６１ｂと、この起立部６１ｂに対向する突起部７１ｄ，７１ｄと、が当接する。突起部７１ｄは予備苗載せ台３１と一体的に樹脂成形されているために弾性変形可能に構成されている。このことから、作業者が苗止め部材６１を更に起立状態の方向に揺動すると、起立部６１ｂの押圧作用によって突起部７１ｄは予備苗載せ台３１の左右外側へ弾性変形する。そして、水平軸芯Ｑ１１（または水平軸芯Ｑ１２）の方向視において、突起部７１ｄ，７１ｄの間に起立部６１ｂが位置する状態になると、突起部７１ｄ，７１ｄの夫々は、弾性変形の状態から復元して起立部６１ｂを挟む。これにより、苗止め部材６１が倒伏状態から起立状態に揺動した後、苗止め部材６１が起立状態に位置保持される。
【０１１２】
凹部７１のうち、溝部７１ｂの位置する側と反対側の端部に係止壁部７１ｅが形成されている。係止壁部７１ｅは苗止め部材６１における一対の起立部６１ｂ，６１ｂと当接可能に構成され、起立状態の苗止め部材６１が溝部７１ｂの位置する側と反対側へ揺動することが、係止壁部７１ｅによって規制される。このように、苗止め部材６１は、一対の揺動支持孔７１ａ，７１ａよりも上側に起立する起立状態と、一対の揺動支持孔７１ａ，７１ａよりも予備苗載せ台３１の前後中央側に倒伏する倒伏状態と、に亘って揺動可能に構成され、起立状態からこの倒伏状態と反対側への揺動が規制されている。
【０１１３】
苗止め部材６２及び凹部７１の構造及び作用は、苗止め部材６１及び凹部７２の構造及び作用と同じであるため、苗止め部材６２及び凹部７１に関する詳細な説明は省略する。苗止め部材６２における左右一対の基端部６２ａ，６２ａは、苗止め部材６１における左右一対の基端部６１ａ，６１ａと同じ構造である。苗止め部材６２における一対の起立部６２ｂ，６２ｂは、苗止め部材６１における一対の起立部６１ｂ，６１ｂと同じ構造である。苗止め部材６２における横架部６２ｃは苗止め部材６１における横架部６１ｃと同じ構造である。凹部７２における一対の揺動支持孔７２ａ，７２ａは、凹部７１における一対の揺動支持孔７１ａ，７１ａと同じ構造であり、左右一対の基端部６２ａ，６２ａが左右一対の揺動支持孔７２ａ，７２ａに対して挿通されている。凹部７２における溝部７２ｂと開口部７２ｃと突起部７２ｄと係止壁部７２ｅとの夫々の形状、構造及び作用は、凹部７１における溝部７１ｂと開口部７１ｃと突起部７１ｄと係止壁部７１ｅとの夫々の形状、構造及び作用と同じである。
【０１１４】
予備苗載せ台３１，３２が第２状態Ａ２に保持され、かつ、マット状苗が予備苗載せ台３１，３２に載置される場合、作業者は予備苗載せ台３２の前端部３２ａまたは予備苗載せ台３１の後端部３１ｂからマット状苗をスライドすることが考えられる。このような場合、予備苗載せ台３２の後端部３２ｂにおける苗止め部材６２と、予備苗載せ台３１の前端部３１ａにおける苗止め部材６１と、の夫々が予め倒伏状態に設定されていることが考えられる。
【０１１５】
予備苗載せ台３２の前端部３２ａにおける苗止め部材６２は起立状態になっていても、作業者がマット状苗を前端部３２ａからスライド挿入することによって、この苗止め部材６２に対して溝部７２ｂの位置する側への押圧力が作用する。そして前端部３２ａにおける苗止め部材６２は、突起部７２ｄの係止力に抗して倒伏状態へ揺動可能なように構成されている。そして、作業者が、マット状苗を予備苗載せ台３２に載置し終えた後で、前端部３２ａにおける苗止め部材６２を起立状態に揺動操作することによって、この苗止め部材６２が突起部７２ｄによって起立状態に位置保持される。これにより、マット状苗が前端部３２ａからずり落ちる虞が前端部３２ａにおける苗止め部材６２によって防止される。
【０１１６】
予備苗載せ台３１の後端部３１ｂにおける苗止め部材６１は起立状態になっていても、作業者がマット状苗を後端部３１ｂからスライド挿入することによって、後端部３１ｂにおける苗止め部材６１に対して溝部７１ｂの位置する側への押圧力が作用する。そして後端部３１ｂにおける苗止め部材６１は、突起部７１ｄの係止力に抗して倒伏状態へ揺動可能なように構成されている。そして、作業者が、マット状苗を予備苗載せ台３１に載置し終えた後で、後端部３１ｂにおける苗止め部材６１を起立状態に揺動操作することによって、この苗止め部材６１が突起部７１ｄによって起立状態に位置保持される。これにより、マット状苗が後端部３１ｂからずり落ちる虞が後端部３１ｂにおける苗止め部材６１によって防止される。
【０１１７】
予備苗載せ台３１，３２が第１状態Ａ１に保持され、かつ、マット状苗が予備苗載せ台３１と予備苗載せ台３２との夫々に載置される場合、作業者は予備苗載せ台３２の前端部３２ａのみならず後端部３２ｂからもマット状苗をスライドすることが考えられる。また、作業者は予備苗載せ台３１の後端部３１ｂのみならず前端部３１ａからもマット状苗をスライドすることが考えられる。
【０１１８】
予備苗載せ台３２の後端部３２ｂにおける苗止め部材６２は、予備苗載せ台３１の後端部３１ｂにおける苗止め部材６１と同じ構成を有する。このため、予備苗載せ台３１の後端部３１ｂにおける苗止め部材６１に関して上述した通り、マット状苗が後端部３２ｂからずり落ちる虞が後端部３２ｂにおける苗止め部材６２によって防止される。また、予備苗載せ台３１の前端部３１ａにおける苗止め部材６１は、予備苗載せ台３２の前端部３２ａにおける苗止め部材６２と同じ構成を有する。このため、予備苗載せ台３２の前端部３２ａにおける苗止め部材６２に関して上述した通り、マット状苗が前端部３１ａからずり落ちる虞が前端部３１ａにおける苗止め部材６１によって防止される。
【０１１９】
このように、苗止め部材６１は、凹部７１に格納されることによって非作用状態を現出可能に構成され、かつ、底部３１ｃよりも上側に突出することによって作用状態を現出可能に構成されている。また、苗止め部材６２は、凹部７２に格納されることによって非作用状態を現出可能に構成され、かつ、底部３２ｃよりも上側に突出することによって作用状態を現出可能に構成されている。
【０１２０】
〔別実施形態〕
本発明は、上述の実施形態に例示された構成に限定されるものではなく、以下、本発明の代表的な別実施形態を例示する。
【０１２１】
（１）上述した実施形態では、凹部７１は、前端部３１ａ及び後端部３１ｂの夫々における底部３１ｃの短手方向中央に形成され、凹部７２は、前端部３２ａ及び後端部３２ｂの夫々における底部３２ｃの短手方向中央に形成されているが、この実施形態に限定されない。例えば、図１７に示されるように、凹部７１は、前端部３１ａ及び後端部３１ｂの夫々における底部３１ｃの短手方向両側に形成されても良い。また、凹部７２は、前端部３２ａ及び後端部３２ｂの夫々における底部３２ｃの短手方向両側に形成されても良い。つまり、底部３１ｃの四隅に四個の凹部７１，７１，７１，７１が形成され、夫々の凹部７１に対応する苗止め部材６１が備えられる構成であっても良い。また、底部３２ｃの四隅に四個の凹部７２，７２，７２，７２が形成され、夫々の凹部７２に対応する苗止め部材６２が備えられる構成であっても良い。
【０１２２】
（２）上述した実施形態で説明した凹部７１，７２が設けられない構成であっても良い。この場合、図２に示された切欠部３１ｉに苗止め部材６１が設けられ、図２に示された切欠部３２ｉに苗止め部材６２が設けられる構成であっても良い。そして、苗止め部材６１が切欠部３１ｉに入り込むことによって倒伏状態が現出され、苗止め部材６１が切欠部３１ｉから上方向に起立することによって起立状態が現出される構成であっても良い。苗止め部材６２に関しても、切欠部３２ｉに入り込むことと、切欠部３２ｉから上方向に起立することと、によって倒伏状態と起立状態とが現出されて良い。
【０１２３】
（３）図２、図１０乃至図１２に示された実施形態では、上下向き軸芯の軸芯孔３１ｅ，３１ｅが片側の側壁部３１ｄの前後両端部（前端部３１ａ及び後端部３１ｂ）に形成され、上下向き軸芯の軸芯孔３２ｅ，３２ｅが片側の側壁部３２ｄの前後両端部（前端部３２ａ及び後端部３２ｂ）に形成されているが、この実施形態に限定されない。例えば、軸芯孔３１ｅは、両側の側壁部３１ｄ，３１ｄに形成されても良いし、軸芯孔３２ｅが両側の側壁部３２ｄ，３２ｄに形成されても良い。この場合、両側の側壁部３１ｄ，３１ｄに軸芯孔３１ｅ，３１ｅ，３１ｅ，３１ｅが四個形成されても良い。また、前端部３１ａにおける一方の側壁部３１ｄと、後端部３１ｂにおける他方の側壁部３１ｄと、の夫々に軸芯孔３１ｅ，３１ｅが形成されても良い。側壁部３２ｄ及び軸芯孔３２ｅに関しても同様である。そして、軸芯孔３１ｅに苗止め部材４３が支持され、軸芯孔３２ｅに苗止め部材４４が支持されて良い。
【０１２４】
（４）図１３乃至図１６に示された苗止め部材６１，６２の夫々は、作業者の操作が無くても倒伏状態から起立状態に変位する構成であっても良い。例えば、基端部６１ａ，６２ａにトーションバネが巻き掛けられ、トーションバネの付勢力によって、苗止め部材６１，６２が作用状態となるように付勢される構成であっても良い。例えば作業者がマット状苗を前端部３１ａまたは後端部３１ｂ（前端部３２ａまたは後端部３２ｂ）からスライド挿入することによって、苗止め部材６１，６２が倒伏状態へ揺動しても、苗止め部材６１，６２の上にマット状苗が存在しなければ、トーションバネの付勢力によって苗止め部材６１，６２が起立状態に再び揺動可能である。この構成は、前端部３２ａにおける苗止め部材６２と、後端部３１ｂにおける苗止め部材６１と、において特に有用である。また、トーションバネ以外にも、苗止め部材６１，６２を揺動可能な電動モータが設けられる構成であっても良い。
【０１２５】
（５）上述した実施形態では、予備苗載せ台３１の前端部３１ａ及び後端部３１ｂの夫々における底部３１ｃの短手方向中央に凹部７１，７１が備えられているが、この実施形態に限定されない。例えば、凹部７１，７１は予備苗載せ台３１の前端部３１ａ及び後端部３１ｂの夫々における側壁部３１ｄに設けられる構成であっても良い。この場合、水平軸芯Ｑ１１，Ｑ１２は上下向き軸芯であって良い。また、凹部７２，７２は側壁部３２ｄに設けられる構成であっても良く、水平軸芯Ｑ１３，Ｑ１４は上下向き軸芯であって良い。
【０１２６】
なお、上述の実施形態（別実施形態を含む、以下同じ）で開示される構成は、矛盾が生じない限り、他の実施形態で開示される構成と組み合わせて適用することが可能である。また、本明細書において開示された実施形態は例示であって、本発明の実施形態はこれに限定されず、本発明の目的を逸脱しない範囲内で適宜改変することが可能である。
【産業上の利用可能性】
【０１２７】
本発明は、予備苗載せ台を有する乗用型田植機に適用可能である。
【符号の説明】
【０１２８】
１３    ：苗載せ台
３１    ：予備苗載せ台
３２    ：予備苗載せ台
３１ａ  ：前端部（予備苗載せ台の長手方向の端部）
３２ａ  ：前端部（予備苗載せ台の長手方向の端部）
３１ｂ  ：後端部（予備苗載せ台の長手方向の端部）
３２ｂ  ：後端部（予備苗載せ台の長手方向の端部）
３１ｃ  ：底部
３２ｃ  ：底部
３１ｄ  ：側壁部
３２ｄ  ：側壁部
３１ｅ  ：軸芯孔（揺動支持部）
３２ｅ  ：軸芯孔（揺動支持部）
４３    ：苗止め部材
４４    ：苗止め部材
６１    ：苗止め部材
６２    ：苗止め部材
７１    ：凹部
７２    ：凹部
７１ａ  ：揺動支持孔（揺動支持部）
７２ａ  ：揺動支持孔（揺動支持部）
【図１】
2020103081.tif 000003
【図２】
2020103081.tif 000004
【図３】
2020103081.tif 000005
【図４】
2020103081.tif 000006
【図５】
2020103081.tif 000007
【図６】
2020103081.tif 000008
【図７】
2020103081.tif 000009
【図８】
2020103081.tif 000010
【図９】
2020103081.tif 000011
【図１０】
2020103081.tif 000012
【図１１】
2020103081.tif 000013
【図１２】
2020103081.tif 000014
【図１３】
2020103081.tif 000015
【図１４】
2020103081.tif 000016
【図１５】
2020103081.tif 000017
【図１６】
2020103081.tif 000018
【図１７】
2020103081.tif 000019